(57)【要約】      （修正有）【課題】火災発信機と外観的に融合した装置として使用することが可能であるとともに、その発信機の設置位置を示すことと、避難誘導方向を示すことができる表示灯を提供する。【解決手段】前方から操作可能な押釦１１の一部が露出する開口部を有する取付けベース体を備えた発信機１０と合体された状態で設置される表示灯５０において、前面が取付けベース体に配設された透光性を有する表示パネル部と、表示パネル部の前面から光を放出するように、その表示パネル部の裏側に所定の配列で設けられた複数の発光部１と、複数の発光部１の点灯パターンを切り替える処理を行う点灯制御部３とを備える。複数の発光部１を所定の光度で点灯させて、発信機１０の設置位置を示すことと、複数の発光部１の光度を所定方向への移動を促す態様で点灯させて、その光の流れによって避難誘導方向を示す。【選択図】図１２
2019061396.tif 000002
【特許請求の範囲】
【請求項１】
前方から操作可能な押釦および前記押釦が操作されたことを検知して信号を出力する回路基板を内蔵した本体ケースと前記押釦の一部が露出する開口部を有する取付けベース体とを備えた発信機と合体された状態で設置される表示灯であって、
前面が前記取付けベース体に配設された透光性を有する表示パネル部と、
前記表示パネル部の裏側に所定の配列で設けられ、その表示パネル部の裏面へ向けて光を照射する複数の発光部と、
前記複数の発光部を所定のパターンで点灯制御する点灯制御部と、
を備え、
前記点灯制御部は、前記複数の発光部を所定の光度で点灯させる発信機位置表示制御と、前記複数の発光部の光度を所定方向への移動を促す態様で点灯させる誘導表示制御を実行可能であることを特徴とする表示灯。
【請求項２】
前記点灯制御部は、前記複数の発光部を全て略同じ光度で点灯させる発信機位置表示制御と、前記複数の発光部の光度を所定方向に沿う並び順で順次点灯させる誘導表示制御を実行可能であることを特徴とする請求項１に記載の表示灯。
【請求項３】
前記点灯制御部は、前記誘導表示制御を実行する際、右から左へ又は左から右へ向かって前記複数の発光部を順次点灯させるように制御することを特徴とする請求項１又は２に記載の表示灯。
【請求項４】
前記点灯制御部は、右から左へ向かって前記複数の発光部を順次点灯させる際、左端の前記発光部を連続して点灯させるように制御し、左から右へ向かって前記複数の発光部を順次点灯させる際、右端の前記発光部を連続して点灯させるように制御することを特徴とする請求項３に記載の表示灯。
【請求項５】
前記点灯制御部は、右から左へ向かって前記複数の発光部を順次点灯させる際、左端の前記発光部をそれ以外の発光部よりも高光度で連続して点灯させるように制御し、左から右へ向かって前記複数の発光部を順次点灯させる際、右端の前記発光部をそれ以外の発光部よりも高光度で連続して点灯させるように制御することを特徴とする請求項３に記載の表示灯。
【請求項６】
前記表示パネル部は左右一対の表示部を有するように構成され、左側の表示部の左側外縁と右側の表示部の右側外縁は円弧形状に形成されており、
前記複数の発光部は、前記表示部の外縁に倣うように円弧状に配列されていることを特徴とする請求項１〜５のいずれか一項に記載の表示灯。
【請求項７】
前記左側の表示部の左側外縁の左端には先端が左方を向く矢印部が形成されており、前記右側の表示部の右側外縁の右端には先端が右方を向く矢印部が形成されていることを特徴とする請求項６に記載の表示灯。
【請求項８】
前記表示パネル部の裏側に、その表示パネル部の裏面へ向けて前記複数の発光部よりも強い光を発するフラッシュ発光部を備えたことを特徴とする請求項１〜７のいずれか一項に記載の表示灯。
【発明の詳細な説明】
【技術分野】
【０００１】
本発明は、場所や警告を知らせるための表示灯に関し、例えば防災設備の場所を示すために防災設備やその近傍に取り付けられ発信機と合体して外観的に融合する防災用表示灯に利用して有効な技術に関する。
【背景技術】
【０００２】
従来、建物内部には火災の発生を知らせるために、火災報知システムが設けられている。火災報知システムは、火災感知器や押釦スイッチを備えた手動の火災発信機、受信機、火災報知用のベル、表示灯などから構成され、このうち火災発信機は建物の廊下等の壁面に適切な高さで設置されている。火災発生時には、発見者が火災発信機の押釦スイッチを強く押すことにより、火災発生を知らせる信号が受信機に伝送されると共に、火災発信機の近傍に設けられるベルから警報音が発せられて、周囲の人に対し火災発生を知らせることができる。
【０００３】
一方、表示灯は、火災発信機や消火栓箱等の防災機器の設置位置を表示するために設けられている機器であり、例えば、火災の発生時にその発見者が火災発信機の押釦スイッチをいち早く押すことができるようにその設置位置を速やかに認識したり、消防作業従事者が消火栓箱の設置位置を速やかに認識したりするのを可能にしている。
【０００４】
また、近年、火災発生をベルによる警報音で報知することに加え、視認性の高い高光度の白色光（フラッシュ光）を点滅させるようにした警報システムが実用化されている。この警報システムによれば、音響だけでなく強い光の点滅により火災発生を報知するため、例えば聴覚不自由者にも、火災の発生を早期にかつ確実に認識させることができる。
このような警報システムにあっては、火災が発生した場合に、複数の警報装置のフラッシュを火災発生場所から非常口に向かって順番に点滅させることにより、非常口に向かって火災発生場所から遠ざかるように視覚的に避難を誘導する技術が提案されている（例えば、特許文献１参照。）。
【先行技術文献】
【特許文献】
【０００５】
【特許文献１】特開２０１４−１８６４３０号公報
【発明の概要】
【発明が解決しようとする課題】
【０００６】
しかしながら、上記特許文献１の警報システムの場合、複数の警報装置を見渡せる場所では、非常口に向かう光の点滅によって避難誘導方向を視覚的に認識できるが、複数の警報装置を見渡すことのできない場所では、幾つかの光の点滅からは避難誘導方向を認識するのが困難になるという課題がある。
特に、火災に伴い発生した煙によって視界が遮られてしまうと、複数の警報装置を見渡すことができなくなり、避難誘導方向を認識するのがより一層困難になるという課題があった。
【０００７】
本発明は上記のような課題に着目してなされたもので、その目的とするところは、火災発信機と外観的に融合した装置として使用することが可能であるとともに、その発信機の設置位置を示すことと、避難誘導方向を示すことができる表示灯を提供することである。
【課題を解決するための手段】
【０００８】
以上の課題を解決するため、請求項１に記載の発明は、
前方から操作可能な押釦および前記押釦が操作されたことを検知して信号を出力する回路基板を内蔵した本体ケースと前記押釦の一部が露出する開口部を有する取付けベース体とを備えた発信機と合体された状態で設置される表示灯であって、
前面が前記取付けベース体に配設された透光性を有する表示パネル部と、
前記表示パネル部の裏側に所定の配列で設けられ、その表示パネル部の裏面へ向けて光を照射する複数の発光部と、
前記複数の発光部を所定のパターンで点灯制御する点灯制御部と、
を備え、
前記点灯制御部は、前記複数の発光部を所定の光度で点灯させる発信機位置表示制御と、前記複数の発光部の光度を所定方向への移動を促す態様で点灯させる誘導表示制御を実行可能であることを特徴とする。
【０００９】
上記構成の表示灯であれば、複数の発光部を所定の光度で点灯させて、発信機の設置位置を示すことと、複数の発光部の光度を所定方向への移動を促す態様で点灯させて、その光の流れよって避難誘導方向を示すことができる。
【００１０】
請求項２記載の発明は、請求項１に記載の表示灯において、
前記点灯制御部は、前記複数の発光部を全て略同じ光度で点灯させる発信機位置表示制御と、前記複数の発光部の光度を所定方向に沿う並び順で順次点灯させる誘導表示制御を実行可能であることを特徴とする。
【００１１】
上記構成によれば、複数の発光部を全て略同じ光度で点灯させて、発信機の設置位置を示すことと、複数の発光部の光度を所定方向に沿う並び順で順次変化させて光の流れをつくるように点灯させて、その光の流れよって避難誘導方向を示すことができる。
【００１２】
請求項３に記載の発明は、請求項１又は２に記載の表示灯において、
前記点灯制御部は、前記誘導表示制御を実行する際、右から左へ又は左から右へ向かって前記複数の発光部を順次点灯させるように制御することを特徴とする。
【００１３】
上記構成によれば、右から左へ向かう光の流れや、左から右へ向かう光の流れをつくり、
その表示灯の位置から左へ向かう避難誘導方向を示すことと、右へ向かう避難誘導方向を示すことができる。
【００１４】
請求項４に記載の発明は、請求項３に記載の表示灯において、
前記点灯制御部は、右から左へ向かって前記複数の発光部を順次点灯させる際、左端の前記発光部を連続して点灯させるように制御し、左から右へ向かって前記複数の発光部を順次点灯させる際、右端の前記発光部を連続して点灯させるように制御することを特徴とする。
【００１５】
上記構成によれば、予め左端側の発光部を連続して点灯させておき、その左端の発光部へ向かって右から左への並び順で発光部を順次点灯させれば、右から左へ向かう避難誘導方向をより好適に表示することができる。
同様に、予め右端側の発光部を連続して点灯させておき、その右端の発光部へ向かって左から右への並び順で発光部を順次点灯させれば、左から右へ向かう避難誘導方向をより好適に表示することができる。
【００１６】
請求項５に記載の発明は、請求項３に記載の表示灯において、
前記点灯制御部は、右から左へ向かって前記複数の発光部を順次点灯させる際、左端の前記発光部をそれ以外の発光部よりも高光度で連続して点灯させるように制御し、左から右へ向かって前記複数の発光部を順次点灯させる際、右端の前記発光部をそれ以外の発光部よりも高光度で連続して点灯させるように制御することを特徴とする。
【００１７】
上記構成によれば、例えば、予め左端側の発光部を最高光度で連続して点灯させておき、その左端の発光部へ向かって右から左への並び順で発光部を最高光度で点灯させれば、右から左へ向かう避難誘導方向をより好適に表示することができる。
同様に、予め右端側の発光部を最高光度で連続して点灯させておき、その右端の発光部へ向かって左から右への並び順で発光部を最高光度で点灯させれば、左から右へ向かう避難誘導方向をより好適に表示することができる。
このとき、左端側の発光部や右端側の発光部以外の発光部を、例えば、表示灯として機能する光度で点灯させた状態を保持していれば、光の流れよって避難誘導方向を示すことに加え、発信機の設置位置を継続して示すことができる。
【００１８】
請求項６に記載の発明は、請求項１〜５のいずれか一項に記載の表示灯において、
前記表示パネル部は左右一対の表示部を有するように構成され、左側の表示部の左側外縁と右側の表示部の右側外縁は円弧形状に形成されており、
前記複数の発光部は、前記表示部の外縁に倣うように円弧状に配列されていることを特徴とする。
【００１９】
上記構成によれば、左右一対の表示部（表示パネル部）を有するように構成された表示灯であって、その表示部の外縁が円弧形状に形成されているものにも複数の発光部を好適に配設することができる。
【００２０】
請求項７に記載の発明は、請求項６に記載の表示灯において、
前記左側の表示部の左側外縁の左端には先端が左方を向く矢印部が形成されており、前記右側の表示部の右側外縁の右端には先端が右方を向く矢印部が形成されていることを特徴とする。
【００２１】
上記構成によれば、複数の発光部による光の流れよって避難誘導方向を示すことに加え、表示部に形成されている矢印部によって、その避難誘導方向を好適に表示することができる。
【００２２】
請求項８に記載の発明は、請求項１〜７のいずれか一項に記載の表示灯において、
前記表示パネル部の裏側に、その表示パネル部の裏面へ向けて前記複数の発光部よりも強い光を発するフラッシュ発光部を備えたことを特徴とする。
【００２３】
上記構成によれば、複数の発光部による光の流れよって避難誘導方向を示すことに加え、フラッシュ発光部による視認性の高い高光度のフラッシュ光を点滅させる光警報を行うことができる。
【発明の効果】
【００２４】
本発明によれば、火災発信機と外観的に融合した装置として使用することが可能であるとともに、その発信機の設置位置を示すことと、避難誘導方向を示すことができる表示灯を実現することができる。
【図面の簡単な説明】
【００２５】
【図１】本発明に係る表示灯と外観的に融合させて使用するのに好適な火災発信機の一例を示すもので、（Ａ）は発信機の正面図、（Ｂ）は発信機の側面図である。
【図２】図１の火災発信機の内部構造を示す分解斜視図である。
【図３】図１の火災発信機を斜め後方から見た斜視図である。
【図４】図１の火災発信機の中央にて切断して内部構造を示した縦断面図である。
【図５】図１の火災発信機を消火栓箱の扉等のパネルに取り付ける際の様子を示す斜視図である。
【図６】実施形態の表示灯を発信機と合体させた状態を示す斜視図である。
【図７】実施形態の表示灯を構成する表示部本体を示すもので、（Ａ）は斜視図、（Ｂ）は底面図、（Ｃ）は断面図である。
【図８】実施形態の表示灯を構成する表示部本体を示す背面図である。
【図９】表示部本体の背面側に接合される裏面カバーの具体例を示すもので、（Ａ）は正面図、（Ｂ）は断面図である。
【図１０】表示部本体の背面に裏面カバーを嵌合させた状態を示す側面図である。
【図１１】本発明に係る表示灯を火災発信機と合体して消火栓箱の扉等のパネルに取り付ける際の様子を示す斜視図である。
【図１２】本発明に係る表示灯の点灯パターンに関する説明図である。
【図１３】本発明に係る表示灯による避難誘導例に関する説明図（Ａ）（Ｂ）である。
【図１４】本発明に係る表示灯の変形例を示す正面図である。
【図１５】本発明に係る表示灯の変形例を示す正面図（Ａ）（Ｂ）である。
【発明を実施するための形態】
【００２６】
以下、図面を参照して、本発明に係る表示灯およびこれと外観的に融合させて使用するのに好適な火災発信機の一実施形態について説明する。
本実施形態における火災発信機（以下、単に発信機と記す）１０は、火災等の異常が発生した際に押釦を強く押して内部のスイッチをオンさせることにより異常の発生を知らせる信号を受信機に伝送する機能を備え、建造物の壁面あるいは消火栓箱の扉などに設置されて使用されるように構成されている。具体的には、本実施形態の発信機は、押釦スイッチを有する発信機本体と、発信機本体を壁面等に取り付けるためのリング状のナットからなる固定手段と、発信機本体と合体して外観的に融合する表示灯などから構成される。
【００２７】
図１〜図４は、発信機の構成を示す。このうち、図１（Ａ）は発信機の正面図、図１（Ｂ）は発信機の側面図、図２は発信機の分解斜視図、図３は図１に示す火災発信機を斜め後方から見た斜視図、図４は図１に示す火災発信機の中央にて切断して内部構造を示した縦断面図である。
図１に示すように、発信機１０は、前面中央に押釦１１が設けられており、該発信機１０を壁面等に取り付けるための固定手段としてのリング状ナット２０を備える。
【００２８】
また、発信機１０は、前面視小判状（円を２本の平行線で上下に切断し、切断された左右両側の弓状部を除いた形状）をなしほぼ中央に押釦１１を有する本体ケース１２と、該本体ケース１２の前端部と係合する収納枠部１３Ａを背部に有する取付けベース体１３と、を備える。取付けベース体１３は、ほぼ平坦な前面パネル部を有し該前面パネル部の縁部に、上フランジ部１３Ｂ１および下フランジ部１３Ｂ２と横フランジ部１３Ｂ３（図３参照）が設けられているとともに、中央に押釦１１の前面が臨む開口部１３Ｃが形成されている。上フランジ部１３Ｂ１と下フランジ部１３Ｂ２の外縁は円弧形状に形成されている。また、取付けベース体１３の収納枠部１３Ａは上面と下面がそれぞれ円筒の一部をなす円弧状に形成され、それらの周面に、リング状ナット２０が螺合可能な部分雄ネジ１３Ｄ１，１３Ｄ２が形成されている。
【００２９】
さらに、取付けベース体１３の前面には、上記開口部１３Ｃの上方に、収納凹部１３Ｅ（図２参照）が形成され、該収納凹部１３Ｅの前面側を覆うように小扉１４が設けられている。小扉１４は、両側部に上下方向に沿って所定の高さを有するリブ１４ａ，１４ａが形成され、該リブ１４ａ，１４ａの外側面にガイド溝１４ｂが形成されている。そして、該ガイド溝１４ｂが収納凹部１３Ｅの側壁面に形成されている突状部１３ａに係合されるとともに、ガイド溝１４ｂの一方の端（図２では上側の端部）が閉塞されている。また、収納凹部１３Ｅの底壁には、突状部１３ａに対応する高さ位置に、小扉１４の断面形状に対応した横長の矩形開口部１３ｂと、取付けベース体１３から本体ケース１２が外れるのを防止する脱落防止ネジ２３が挿通されるネジ挿通孔１３ｅが形成されている。
【００３０】
なお、上記収納凹部１３Ｅの底壁には、本体ケース１２に内蔵される後述の回路基板上に設けられている電話コネクタに接続された電話ジャックに対応して電話機プラグを挿通可能にするための電話機プラグ差込口１３ｃと、後述の押釦ロック解除用の復旧レバー１７の先端が突出するための開口１３ｄが形成されている。
【００３１】
押釦１１は、下方へ向かって伸びる２本の脚部１１ａ，１１ａを有し、該脚部１１ａ，１１ａの先端（図では下端）には、外側方へ向って突出する突起が形成されており、該突起が本体ケース１２の前面下部に設けられている一対の支承部１２ｂ，１２ｂ（図４参照）に係合されることで、突起を支点にして前後に回動可能に構成されている。また、押釦１１の背部と本体ケース１２との間には、圧縮バネ１５および押釦スイッチ１６が配設され、押釦１１が圧縮バネ１５のバネ力に抗して後方へ押圧されると、押釦スイッチ１６がオンされるように構成されている。
【００３２】
さらに、押釦１１の上端には係止片１１ｃが形成されているとともに、本体ケース１２の前面の収容凹部１２Ａ内に収容され先端が上下動可能にされた復旧レバー１７および該復旧レバー１７を下方へ向かって押圧する圧縮バネ１８が設けられており、押釦１１が押圧されると上端の係止片１１ｃが復旧レバー１７の先端の爪１７ａに係合することで押圧された状態が保持される。また、この状態で、復旧レバー１７の先端が圧縮バネ１８のバネ力に抗して上方へ持ち上げられると、係止片１１ｃと復旧レバー１７の爪１７ａとの係合が外れ、圧縮バネ１５のバネ力によって押釦１１が前方へ押されて元の位置に復帰するように構成されている。
【００３３】
また、本体ケース１２の背部には、発光素子Ｌ１が実装された回路基板１９および該回路基板１９を覆う背面カバー２１が、ネジ２２によって装着されるように構成されている。本体ケース１２には、押釦１１の背部に相当する位置に発光素子Ｌ１の先端が突出する孔１２ａが形成されているとともに、押釦１１が半透明な樹脂で形成されることで、押釦１１を押すことにより押釦スイッチ１６がオンされて火災発生を知らせる信号が受信機に伝送され、火災発信機からの信号で発光素子Ｌ１が点灯され、その光が半透明な押釦１１を通して視認できるように構成されている。
【００３４】
回路基板１９上には、押釦スイッチ１６がオンされたことを検知して火災発生信号を生成する信号生成回路や生成された信号を火災受信機へ送信する信号出力回路、火災発信機からの信号を受信する信号受信回路、受信した信号に応じて発光素子Ｌ１を点灯させる駆動回路、電話ジャックに接続され火災発信機の電話機との間で通話信号を送受信する送受信回路などを構成する抵抗やコンデンサ、ＩＣなどの電子部品が実装され、基板にはこれらの電子部品間を電気的に接続する配線パターンが形成されている。
【００３５】
上記本体ケース１２と取付けベース体１３とは、取付けベース体１３背部の収納枠部１３Ａと本体ケース１２の前端部（小判状部分）との嵌め合いにより一体化され、取付けベース体１３の収納枠部１３Ａの底壁に設けられているネジ挿通孔１３ｅに挿通されるネジ２３と、本体ケース１２の収容凹部１２Ａ内に設けられたボス部１２Ｂ内に埋設されたナット（図示省略）とによって結合されるように構成されている。
また、背面カバー２１には、一対の固定用のネジ２２が挿通される一対のネジ挿通孔２１ａと、上記回路基板１９上の回路と火災受信機とを接続するリード線が接続される端子台１９Ａを露出させたりリード線を引き出したりするための開口部２１ｂが設けられている。
【００３６】
上記のような構成を有する火災発信機１０は、例えば図５に示すように、本体ケース１２の外形に対応した形状の開口３０Ａを有する消火栓箱や各種機器収容箱の扉のパネルあるいは建物の壁面に設けられている取付けパネルのようなパネル３０を挟むようにして、火災発信機１０とリング状のナット２０を対向させ、火災発信機１０の本体ケース１２をパネル３０の開口３０Ａ内に挿入して、背部に突出した取付けベース体１３の外周面の部分雄ネジ１３Ｄ１と１３Ｄ２に、リング状のナット２０の雌ネジ部２０Ａを螺合させることで、取付けベース体１３とナット２０とでパネル３０を挟み込むことでパネル３０に取り付けられる。
【００３７】
次に、図６〜図１０を用いて、上記のように構成された発信機と合体して外観的に融合した状態で設置される表示灯の実施例について説明する。このうち、図６は本実施例の表示灯５０と発信機１０とを合体させた状態を、図７および図８は本実施例の表示灯５０を構成する表示部本体５１の構成を、図９は表示部本体５１の背面側に接合される裏面カバー６０の構成を示す。また、図１０は表示部本体５１の背部に裏面カバー６０を嵌合させた状態を示す。
図６から分かるように、本実施例に係る表示灯５０と発信機１０とを合体させた状態は、円盤状をなす既設の旧型火災発信機と類似の外観を有しており、既設の旧型火災発信機を壁面または消火栓箱の前面パネル等から外して本実施例の表示灯５０と発信機１０とを合体させたものに置き換えることができる。
【００３８】
表示部本体５１は、図７に示すように、発信機１０の左右両側方に位置する一対のプレート状の表示パネル部５１Ａ，５１Ｂと、発信機１０の本体ケース１２を収納可能な収納凹部５２Ａを有する台座部５２と、を備える。
左右一対の表示パネル部５１Ａ，５１Ｂのうち、左側の表示パネル部５１Ａの左側外縁は円弧形状に形成されており、右側の表示パネル部５１Ｂの右側外縁は円弧形状に形成されている。
この表示パネル部５１Ａ，５１Ｂの外縁と、取付けベース体１３の上フランジ部１３Ｂ１及び下フランジ部１３Ｂ２の外縁が円弧形状に形成されていることで、表示灯５０と発信機１０とを合体させた状態が円盤状を呈するようになっている。
台座部５２は、発信機１０と同様な小判状をなしており、台座部５２の底壁中央には、発信機１０の本体ケース１２が挿通可能な矩形状の開口５３が形成されている。
【００３９】
また、上記表示パネル部５１Ａ，５１Ｂおよび台座部５２は、光を拡散させる拡散剤を混入した透明もしくは半透明の合成樹脂（アクリル等）で一体成型されており、裏面カバー６０に収納されているＬＥＤ（後述する発光部１）が点灯されると透光性を有する表示パネル部５１Ａ，５１Ｂが明るくなるように構成されている。この際、ＬＥＤ（発光部１）として赤色ＬＥＤを使用することで表示パネル部５１Ａ，５１Ｂを赤色で発光させる。さらに、表示パネル部５１Ａ，５１Ｂおよび台座部５２を構成する合成樹脂に赤色の顔料を含ませるなどして赤色に着色することで、表示パネル部５１Ａ，５１Ｂをより鮮明な赤色で発光させるようにすることができる。
【００４０】
上記表示部本体５１の裏面に設けられている一対の光誘導壁５２ｅの前端には内側へ向かって下り傾斜するテーパ面５２ｃがそれぞれ形成されており、ＬＥＤ（発光部１）から内側の発信機１０へ向う光を反射して外側の表示パネル部５１Ａ，５１Ｂへ広げるように構成されている。これにより、表示部本体５１前面の表示パネル部５１Ａ，５１Ｂへ向う光の量を多くして、表示パネル部５１Ａ，５１Ｂの発光状態を視認し易くすることができる。また、テーパ面５２ｃを形成することにより、当該部位を直角に折曲したものに比べて、ＬＥＤ（発光部１）の光が点状に見えて表示面に光のムラが生じるのを抑制することができる。さらに、上記表示パネル部５１Ａ，５１Ｂとテーパ面５２ｃとの境界には発信機１０の取付けベース体１３の厚さ分の段差が設けられている。これにより、表示パネル部５１Ａ，５１Ｂの前面と発信機１０の取付けベース体１３の前面とがほぼ同一平面を形成するようにすることができ、左右方向から発光表示が見易くなる。
【００４１】
一方、上記表示部本体５１の裏面には、図８に示すように、表示パネル部５１Ａ，５１Ｂの径よりも少し小さな径を有する円筒状周壁５１Ｃが設けられているとともに、矩形状の開口５３の縁に沿ってリブ５２ａが形成されている。そして、該リブ５２ａから左右外側方へ少し離れた位置に、垂直方向に沿って一対の光誘導壁５２ｅが形成されており、この光誘導壁５２ｅの内側面からＬＥＤ（発光部１）の光が導入されて、光誘導壁内で反射を繰り返しながら前面の表示パネル部５１Ａ，５１Ｂへ光が誘導されるように構成されている。
【００４２】
また、プレート状の上記表示パネル部５１Ａ，５１Ｂの裏面には、断面がＶ字形状を呈する複数の円弧状のＶ溝５５が形成されており、ＬＥＤ（発光部１）からの光をＶ溝５５の側壁面で反射して横方向へ広げるように構成されている。
さらに、表示パネル部５１Ａ，５１Ｂの裏面に形成されているＶ溝５５は、図７（Ｃ）に示すように、外縁の鍔部（中心から外寄りの領域）に形成されているＶ溝５５ａはプレート裏面に凹みを刻むようにして形成されているのに対し、ＬＥＤ（発光部１）を収納する凹部５１ａ，５１ｂを形成する面に形成されている中心寄りの領域のＶ溝５５ｂは、プレート裏面に突条を形成することで設けられるようになっている。
【００４３】
Ｖ溝５５ａ，５５ｂが上記のように構成されていることにより、Ｖ溝５５ｂではテーパ面５２ｃからの光の一部を前方へ反射しつつ残りの光を外側へ広げるように反射させ、Ｖ溝５５ａでは中心側からの光を前方へ向かうように反射させることができる。その結果、Ｖ溝５５ａと５５ｂを同じ形態の溝として形成したものに比べて、表示パネル部５１Ａ，５１Ｂの鍔部の明るさを向上させ、この鍔部の明るさが、ＬＥＤ（発光部１）が収納される凹部５１ａ，５１ｂの前方壁を形成する部位に比べて極端に明るさが暗くなるのを回避することができるようになっている。
【００４４】
また、発信機１０の本体ケース１２裏面に設けられている２個の位置決め用凹部１２ｄ（図３、図４参照）に対応して、表示灯５０（表示部本体５１）の台座部５２の底壁には、上記凹部１２ｄに対応する位置に当該凹部１２ｄに係合可能な位置決め用突起５２ｂが２個設けられており（図７（Ａ）参照）、発信機１０と表示灯５０とを合体させた際に、組み付け誤差を小さくし発信機１０と表示灯５０とのガタツキを減らすことができるようになっている。
【００４５】
さらに、本実施例においては、上記表示部本体５１の背面側に所定の色（例えば黒色）を有する合成樹脂製の裏面カバー６０が接合され、発信機１０の取付けベース体１３と取付けパネル３０との間に表示灯５０の台座部５２および裏面カバー６０を挟み込んだ状態で、発信機１０の取付けベース体１３とナット２０を螺合させることにより、これらの部品をネジによって結合することが可能に構成されている（後述）。裏面カバー６０は、上述したように非透過性の材料で形成しても良いが、それに限定されず、外側に対して非透過性の加工が施され、内部に対しては反射性の高い加工が施されていても良い。
【００４６】
図９および図１０には上記裏面カバー６０の具体例が示されている。
裏面カバー６０は、図９に示すように、表示部本体５１裏面の円筒状周壁５１Ｃに対応して円板状をなすプレート部６１と、プレート部６１の外周縁に沿って形成された円筒状をなす外壁部６２とを有し、プレート部６１の中央には、発信機１０の本体ケース１２が挿通可能な矩形状の開口６３が形成されている。外壁部６２は、表示部本体５１裏面の円筒状周壁５１Ｃの外周面にほぼ接触した状態でその内側に嵌合することができるように形成されている。
【００４７】
また、開口６３の縁部に沿って外壁部６２と同一高さの内壁６４が形成され、内壁６４のうち左右の側壁部６４ａ，６４ｂの外側方にリブ６６ｃ，６６ｄが形成されている。
このリブ６６ｃ，６６ｄと外壁部６２の間に、複数個のＬＥＤ（発光部１、フラッシュ発光部２）が実装されたＬＥＤ実装基板６５Ａ，６５Ｂが配設されている。
具体的には、リブ６６ｃと外壁部６２の間にＬＥＤ実装基板６５Ａが嵌め込まれ、リブ６６ｄと外壁部６２の間にＬＥＤ実装基板６５Ｂが嵌め込まれて、ＬＥＤ実装基板６５Ａ，６５Ｂが裏面カバー６０に取り付けられるように構成されている。
そして、上記円筒状の外壁部６２には、上部と下部に発信機１０の取付けベース体１３の収納枠部１３Ａが係合する切欠き６２ａがそれぞれ形成されているとともに、下部の切欠き６２ａの中央にはＬＥＤ実装基板６５Ａ，６５Ｂのリード線７０（電源供給用）が挿通される挿通孔６２ｂが設けられている。
【００４８】
上記のように表示灯５０の円筒状周壁５１Ｃに黒色の裏面カバー６０が接触した状態で嵌合されることで、表示灯５０の円筒状周壁５１Ｃの裏面カバー６０と接触する外表面が光反射面として機能し、表示部本体５１の裏面に設けられている光誘導壁５２ｅから導入された光が、円筒状周壁５１Ｃの外表面から漏れないように反射させ、表示灯５０の前面から出る光の量を多くすることができる。
【００４９】
また、上記実施形態では、内壁６４の左右両側壁部６４ａ，６４ｂは上下方向に延長され、この延長部にＬＥＤ実装基板６５Ａ，６５Ｂのリード線７０が係合する切欠き６４ｃが設けられている。さらに、内壁６４の上壁部と下壁部の中央には、上方と下方へそれぞれ膨らむように形成された湾曲部６４ｄ，６４ｅが設けられている。
【００５０】
さらに、上記両側壁部６４ａ，６４ｂの延長部および上壁と下壁中央の湾曲部６４ｄ，６４ｅから少し離れた位置に、表示灯５０（表示部本体５１）の台座部５２に裏面カバー６０を結合するためのネジを挿通するためのネジ挿通穴を有する２個のボス部６７が設けられている。なお、上記ボス部６７に対応して、表示灯５０（表示部本体５１）の台座部５２の底壁には、裏面カバー６０を結合するためのネジを挿通するためのネジ挿通穴５２ｄが２個設けられている（図７参照）。
【００５１】
さらに、図９に示すように、内壁６４の下壁部中央の湾曲部６４ｅの左側にはボス部６７が設けられていないため、比較的大きな空間が生じているので、この空間に、リード線７０を介してＬＥＤ実装基板６５Ａ，６５Ｂへ供給する電源の中継基板６８が配設されている。
また、リード線７０は、外壁部６２下部の挿通孔６２ｂから挿入され、ボス部６７の周囲を迂回して内壁部６４下部の湾曲部６４ｅの下方を通って電源の中継基板６８に接続されている。リード線７０は、外壁部６２下部の挿通孔６２ｂから挿入して直ちに電源の中継基板６８に接続させることも可能であるが、上記のように一旦基板と反対側のボス部６７の周囲へ迂回させることで、リード線７０に外から張力が作用した際に、電源の中継基板６８が移動して断線が生じたりリード線７０が挿通孔６２ｂの縁部に擦れて外皮が傷ついたりするのを防止することができる。
そして、電源の中継基板６８からＬＥＤ実装基板６５Ａの一端（図では下端）には、一端が接続されたリード線７１を介してＬＥＤ実装基板６５Ａへ給電を行うように構成されている。
【００５２】
さらに、図示しないが、ＬＥＤ実装基板６５Ａには、該基板上のＬＥＤ（発光部１）に対して給電するための配線パターンの他、長さ方向に延びるように形成されたバイパス用の配線パターンが設けられており、このバイパス用の配線パターンおよびＬＥＤ実装基板６５Ａの他端（図では上端）に一端が接続されたリード線７２を介して他方のＬＥＤ実装基板６５Ｂへ給電を行うように構成されている。この際、リード線７２は、ボス部６７と内壁６４との隙間から内壁６４の湾曲部６４ｄの上方を回ってＬＥＤ実装基板６５Ｂまで延設されている。
【００５３】
これにより、リード線７２が内部で移動しないように押さえることができる。
また、外壁部６２下部の挿通孔６２ｂから給電用のリード線７０と７２の両方を挿入して２股に分け、一方を中継基板６８に接続し、他方をＬＥＤ実装基板６５Ｂに接続したとすると、リード線にねじれが生じて中継基板６８を持ち上げる方向の力が作用するが、リード線７２を上方に配設することで、中継基板６８の浮き上がりを防止することができる。
【００５４】
なお、外壁部６２下部の挿通孔６２ｂの右縁部には、丸みを持たせた肉厚部６２ｃが形成されており、この肉厚部６２ｃによって、リード線７０が挿通孔６２ｂの縁部と接触して擦れて外皮が傷つくのを防止することができる。挿通孔６２ｂの左縁部にも同様な肉厚部を形成しておくようにしても良い。
【００５５】
また、この実施例では、図９に示すように、ＬＥＤ実装基板６５Ａ，６５Ｂ上に１７個の発光部１が円弧状に配列された状態で実装されており、また、そのＬＥＤ実装基板６５Ａ，６５Ｂ上に発光部１よりも強い光を発するフラッシュ発光部２が１つ実装されている。
この発光部１及びフラッシュ発光部２は、ＬＥＤ（light emitting diode）であり、発光部１やフラッシュ発光部２が実装されているＬＥＤ実装面を表向きにした状態でＬＥＤ実装基板６５Ａ，６５Ｂが裏面カバー６０に取り付けられている。つまり、ＬＥＤ実装基板６５Ａ，６５Ｂに実装されている発光部１及びフラッシュ発光部２は、表示パネル部５１Ａ，５１Ｂの裏側に設けられている。
これにより、発光部１やフラッシュ発光部２の発光は、表示パネル部５１Ａ，５１Ｂの裏面に向けて照射され、その表示パネル部５１Ａ，５１Ｂの前面から視認性よく光を放出することができる。
なお、ＬＥＤ実装基板６５Ａ，６５Ｂ上に実装されている１７個の発光部１は、表示パネル部５１Ａ，５１Ｂの外縁に倣うように円弧状に配列されている。
また、ＬＥＤ実装基板６５Ａ上に実装されている１７個の発光部１にはそれぞれ点灯制御線（図示省略）が接続され、ＬＥＤ実装基板６５Ｂ上に実装されている１７個の発光部１にはそれぞれ点灯制御線（図示省略）が接続されており、後述する点灯パターンで点灯するように後述する点灯制御部３によって制御される。
また、ＬＥＤ実装基板６５Ａ，６５Ｂ上に実装されているフラッシュ発光部２にもそれぞれ点灯制御線（図示省略）が接続されており、後述するタイミングで点灯するように後述する点灯制御部３によって制御される。
【００５６】
図１１には、上記のような構成を有する本実施例における表示灯５０を発信機１０と合体させて設置する方法の一例が示されている。図１１に示すように、発信機１０は、本体ケース１２の外形に対応した形状の開口３０Ａを有する消火栓箱や各種機器収容箱の扉のパネルあるいは建物の壁面に設けられている取付けパネルのようなパネル３０を挟むようにして、発信機１０とリング状のナット２０を対向させるとともに、発信機１０とパネル３０との間に、背部に裏面カバー６０を嵌合させた表示灯５０を介在させ、発信機１０の本体ケース１２をパネル３０の開口３０Ａ内に挿入する。そして、背部に突出した取付けベース体１３の外周面の部分雄ネジ１３Ｄ１と１３Ｄ２に、ナット２０の雌ネジ部２０Ａを螺合させることで、パネル３０に取り付けられる。
【００５７】
次に、本発明に係る表示灯５０の表示機能について説明する。
【００５８】
図１２に示すように、表示灯５０は、ＬＥＤ実装基板６５Ａ，６５Ｂに実装された発光部１及びフラッシュ発光部２と、それら発光部１及びフラッシュ発光部２の点灯パターンを切り替える処理を行う点灯制御部３を備えている。
ここでは、ＬＥＤ実装基板６５Ａにおいては、原点位置「Ｌ０」からＬ１ａ〜Ｌ８ａの並び順およびＬ１ｂ〜Ｌ８ｂの並び順で１７個の発光部１が円弧状に等間隔で配列されており、またＬＥＤ実装基板６５Ｂにおいては、原点位置「Ｒ０」からＲ１ａ〜Ｒ８ａの並び順およびＲ１ｂ〜Ｒ８ｂの並び順で１７個の発光部１が円弧状に等間隔で配列されている。
【００５９】
点灯制御部３は、例えばＣＰＵであり、所定の制御プログラムに従って各種の処理を実行し、複数の発光部１を所定のパターンで点灯制御する。
例えば、点灯制御部３は、全ての発光部１を略同じ光度で点灯させる処理（発信機位置表示制御）を実行する。
また、点灯制御部３は、複数の発光部１の光度を所定方向に沿う並び順で順次変化させて光の流れをつくるように点灯させる処理（誘導表示制御）を実行する。
そして、この点灯制御部３は、全ての発光部１を略同じ光度で点灯させる発信機位置表示状態と、複数の発光部１の光度を所定方向に沿う並び順で順次変化させて光の流れをつくるように点灯させる誘導表示状態と、に切り替える処理を実行する。
また、点灯制御部３は、フラッシュ発光部２を点滅させる処理を実行する。例えば、点灯制御部３は、発光部１が点滅する発光周期の空き時間（消灯タイミング）にフラッシュ発光部２を点灯させるように、フラッシュ発光部２を点滅させる処理を実行する。
なお、点灯制御部３は、周知のＰＷＭ制御によって発光部１やフラッシュ発光部２の光度を調整することを可能にする。
【００６０】
具体的には、通常状態（火災監視状態）において、点灯制御部３は、全ての発光部１を略同じ光度で点灯させ、全ての発光部１を点灯させた表示灯５０によって発信機１０の設置位置を表示する「発信機位置表示状態」となっている。
一方、発信機１０の押釦１１が押されるなどしたことに伴う火災受信機５からの信号を点灯制御部３が検知した場合、点灯制御部３は、複数の発光部１の光度を所定方向に沿う並び順で順次変化させて光の流れをつくるように点灯させ、光が流れるように点灯する表示灯５０によって避難誘導方向を表示する「誘導表示状態」となる。
【００６１】
そして、右から左へ向かう避難誘導方向を表示するための信号を点灯制御部３が検知した場合、点灯制御部３は、右から左へ向かう光の流れをつくるように、複数の発光部１の点灯パターンを切り替える処理を実行する。
本実施例では、全ての発光部１を表示灯として機能する光度で点灯させた状態を保持しつつ、右から左へ向かう光の流れをつくるように、右から左へ向かう並び順で発光部１を最高光度で点灯させる。
例えば、図１２中、Ｒ０→（Ｒ１ａ、Ｒ１ｂ）→（Ｒ２ａ、Ｒ２ｂ）→（Ｒ３ａ、Ｒ３ｂ）→（Ｒ４ａ、Ｒ４ｂ）→（Ｒ５ａ、Ｒ５ｂ）→（Ｒ６ａ、Ｒ６ｂ）→（Ｒ７ａ、Ｒ７ｂ）→（Ｒ８ａ、Ｒ８ｂ）→（Ｌ８ａ、Ｌ８ｂ）→（Ｌ７ａ、Ｌ７ｂ）→（Ｌ６ａ、Ｌ６ｂ）→（Ｌ５ａ、Ｌ５ｂ）→（Ｌ４ａ、Ｌ４ｂ）→（Ｌ３ａ、Ｌ３ｂ）→（Ｌ２ａ、Ｌ２ｂ）→（Ｌ１ａ、Ｌ１ｂ）→Ｌ０の順で発光部１を最高光度で点灯させることによって、右から左へ向かう光の流れをつくることができ、右から左へ向かう避難誘導方向を表示することができる。
【００６２】
また、図１２中、Ｌ０の発光部１を最高光度で点灯させるとともに、Ｌ０以外の発光部１を表示灯として機能する光度で点灯させた状態を保持しつつ、右から左へ向かう光の流れをつくるように、右から左へ向かう並び順で発光部１を最高光度で点灯させてもよい。
予め左端側Ｌ０の発光部１を最高光度で連続して点灯させておき、そのＬ０へ向かって右から左への並び順で発光部１を最高光度で点灯させれば、右から左へ向かう避難誘導方向をより好適に表示することができる。
【００６３】
同様に、左から右へ向かう避難誘導方向を表示するための信号を点灯制御部３が検知した場合、点灯制御部３は、左から右へ向かう光の流れをつくるように、複数の発光部１の点灯パターンを切り替える処理を実行する。
本実施例では、全ての発光部１を表示灯として機能する光度で点灯させた状態を保持しつつ、左から右へ向かう光の流れをつくるように、左から右へ向かう並び順で発光部１を最高光度で点灯させる。
例えば、図１２中、Ｌ０→（Ｌ１ａ、Ｌ１ｂ）→（Ｌ２ａ、Ｌ２ｂ）→（Ｌ３ａ、Ｌ３ｂ）→（Ｌ４ａ、Ｌ４ｂ）→（Ｌ５ａ、Ｌ５ｂ）→（Ｌ６ａ、Ｌ６ｂ）→（Ｌ７ａ、Ｌ７ｂ）→（Ｌ８ａ、Ｌ８ｂ）→（Ｒ８ａ、Ｒ８ｂ）→（Ｒ７ａ、Ｒ７ｂ）→（Ｒ６ａ、Ｒ６ｂ）→（Ｒ５ａ、Ｒ５ｂ）→（Ｒ４ａ、Ｒ４ｂ）→（Ｒ３ａ、Ｒ３ｂ）→（Ｒ２ａ、Ｒ２ｂ）→（Ｒ１ａ、Ｒ１ｂ）→Ｒ０の順で発光部１を最高光度で点灯させることによって、左から右へ向かう光の流れをつくることができ、左から右へ向かう避難誘導方向を表示することができる。
また、予め右端側Ｒ０の発光部１を最高光度で連続して点灯させておき、そのＲ０へ向かって左から右への並び順で発光部１を最高光度で点灯させれば、左から右へ向かう避難誘導方向をより好適に表示することができる。
【００６４】
このように、本実施例の表示灯５０は、全ての発光部１を表示灯として機能する光度で点灯させた状態を保持しつつ、左から右へ向かう光の流れや右から左へ向かう光の流れをつくって避難誘導方向を表示するので、常に発信機１０の設置位置を示すことが可能になっている。
【００６５】
また、本実施例では、Ｒ０からＬ０の順に発光部１を最高光度で点灯させて右から左へ向かう避難誘導方向を表示する際、例えば、Ｌ０の発光部１の点灯後、Ｒ０の発光部１の点灯を行うまでの間に一瞬フラッシュ発光部２を点灯させるようにして、フラッシュ発光部２を点滅させるようにする。
同様に、Ｌ０からＲ０の順に発光部１を最高光度で点灯させて左から右へ向かう避難誘導方向を表示する際、例えば、Ｒ０の発光部１の点灯後、Ｌ０の発光部１の点灯を行うまでの間に一瞬フラッシュ発光部２を点灯させるようにして、フラッシュ発光部２を点滅させるようにする。
こうすることで、光の流れで避難誘導方向を表示するとともに、視認性の高い高光度の白色光（フラッシュ光）を点滅させる光警報を行うことができる。
なお、本実施例でのフラッシュ発光部２は、点灯周期０．５Ｈｚ以上、２．０Ｈｚ以下で発光し、点灯時間は２００ｍｓｅｃ以下であるように制御した。
【００６６】
ここで、図１３に基づく避難誘導例を説明する。なお、本実施例の表示灯５０を用いる火災報知システムは、Ｒ型システムであっても、Ｐ型システムであってもよい。
例えば、図１３（Ｂ）に示すように、建物の「３Ｆ−３」のエリアで火災が発生したことを報知する火災受信機５からの信号を表示灯５０の点灯制御部３が検知した場合、例えば、図１３（Ａ）に示すように、「４Ｆ−１」や「３Ｆ−２」や「２Ｆ−２」に設置されている発信機１０の表示灯５０は、Ｒ０からＬ０の順に発光部１を点灯させて、右から左へ向かう光の流れをつくり、階段（１）へ向かう避難誘導方向を表示する。
同様に、「４Ｆ−４」や「３Ｆ−４」に設置されている発信機１０の表示灯５０は、Ｌ０からＲ０の順に発光部１を点灯させて、左から右へ向かう光の流れをつくり、階段（２）へ向かう避難誘導方向を表示する。
【００６７】
一方、「２Ｆ−４」に設置されている発信機１０の表示灯５０は、右から左へ向かう光の流れをつくり、階段（１）へ向かう避難誘導方向を表示する。
これは、上階からの避難者の多くが階段（２）へ向かうことを想定し、各フロアの避難者の避難方向を分散させ、いずれか一方の階段が混雑するのを緩和するために講じられた処理である。
また、「１Ｆ−１」に設置されている発信機１０の表示灯５０は、Ｌ０からＲ０の順に発光部１を点灯させて、左から右へ向かう光の流れをつくり、出入口（１Ｆ−２）へ向かう避難誘導方向を表示し、「１Ｆ−４」に設置されている発信機１０の表示灯５０は、Ｒ０からＬ０の順に発光部１を点灯させて、右から左へ向かう光の流れをつくり、出入口（１Ｆ−２）へ向かう避難誘導方向を表示する。
【００６８】
このように、本実施例の表示灯５０は、右から左への光の流れにより左へ向かう避難誘導方向を表示することと、左から右への光の流れにより右へ向かう避難誘導方向を表示することができるので、火災の発生箇所や避難方向の分散などに応じて、適切な方向を示して避難誘導を行うことができる。
特に、この表示灯５０は、全ての発光部１を表示灯として機能する光度で点灯させた状態を保持しつつ、光の流れによって避難誘導方向を表示するので、常に発信機１０の設置位置を示すことができる。
【００６９】
なお、上記実施形態では、左右一対の表示パネル部５１Ａ，５１Ｂに対応させて円弧状に配列させた複数の発光部１を順に点灯させて、左から右へ向かう光の流れや右から左へ向かう光の流れをつくったが、発信機１０の取付けベース体１３の上フランジ部１３Ｂ１および下フランジ部１３Ｂ２に沿う配置に、更に複数の発光部１を円弧状に配設してなる表示灯５０を形成し、それら発光部１も合わせて順に点灯させることで、左から右へ向かって連なる円弧状の光の流れや、右から左へ向かって連なる円弧状の光の流れをつくってもよい。
【００７０】
なお、本発明は上記実施形態に限られるものではない。
例えば、図１４に示す表示灯５０ように、左側の表示パネル部５１Ａの左側外縁の左端に、先端が左方を向いて左方を指し示す三角形状の矢印部５１Ｌが形成され、右側の表示パネル部５１Ｂの右側外縁の右端に、先端が右方を向いて右方を指し示す三角形状の矢印部５１Ｒが形成されているものでもよい。
この矢印部５１Ｌは表示パネル部５１Ａと一体成形されており、矢印部５１Ｒは表示パネル部５１Ｂと一体成形されているので、発光部１の発光が表示パネル部５１Ａ，５１Ｂを介して矢印部５１Ｌ，５１Ｌまで誘導されるようになっている。
例えば、Ｌ０の発光部１が点灯した際に、誘導された光が矢印部５１Ｌから放出されることでその矢印部５１Ｌの形状が際立つので、左へ向かう避難誘導方向を好適に表示することができる。
同様に、Ｒ０の発光部１が点灯した際に、誘導された光が矢印部５１Ｒから放出されることでその矢印部５１Ｒの形状が際立つので、右へ向かう避難誘導方向を好適に表示することができる。
【００７１】
また、例えば、図１５（Ａ）に示す表示灯５０ように、複数の発光部１は、表示パネル部５１Ａ，５１Ｂの外縁に倣うように円弧状に配列されていることに限らず、左右方向に直線状に配列されていてもよい。
左右方向に直線状に配列されている複数の発光部１によっても、左から右へ向かう光の流れや右から左へ向かう光の流れをつくって避難誘導方向を表示することができる。
【００７２】
また、例えば、図１５（Ｂ）に示す表示灯５０ように、複数の発光部１は、略三角形状の表示パネル部５１Ａ，５１Ｂの外縁に倣うように、山括弧状（“＜”や“＞”）に配列されていてもよい。
複数の発光部１が山括弧状に配列されていても、上述した円弧状の配列と同様に、左から右へ向かう光の流れや右から左へ向かう光の流れをつくって避難誘導方向を表示することができる。
【００７３】
なお、以上の実施の形態においては、発光部１が点滅する発光周期の空き時間（消灯タイミング）にフラッシュ発光部２を一瞬点灯させて、視認性の高い高光度の白色光を点滅させる光警報を行うとしたが、本発明はこれに限定されるものではない。
例えば、フラッシュ発光部２を上記以外のタイミングで点灯・点滅させて、消火栓のポンプが起動していることを消防作業従事者に報知したり、フラッシュ発光部２のみを点滅させて光警報を行ったりしてもよい。
【００７４】
また、その他、具体的な細部構造等についても適宜に変更可能であることは勿論である。
【符号の説明】
【００７５】
１      発光部
２      フラッシュ発光部
３      点灯制御部
５      火災受信機
１０    発信機
１１    押釦
１２    本体ケース
１３    取付けベース体
１３Ａ  収納枠部
１３Ｂ  フランジ部
１３Ｃ  開口部
１３Ｄ  部分雄ネジ
１９    回路基板
２０    リング状ナット
３０    取付けパネル
５０    表示灯
５１    表示部本体
５１Ａ，５１Ｂ  表示パネル部
５１Ｌ，５１Ｒ  矢印部
６０    裏面カバー
６５Ａ，６５Ｂ  ＬＥＤ実装基板
７０，７１，７２  リード線
【図１】
2019061396.tif 000003
【図２】
2019061396.tif 000004
【図３】
2019061396.tif 000005
【図４】
2019061396.tif 000006
【図５】
2019061396.tif 000007
【図６】
2019061396.tif 000008
【図７】
2019061396.tif 000009
【図８】
2019061396.tif 000010
【図９】
2019061396.tif 000011
【図１０】
2019061396.tif 000012
【図１１】
2019061396.tif 000013
【図１２】
2019061396.tif 000014
【図１３】
2019061396.tif 000015
【図１４】
2019061396.tif 000016
【図１５】
2019061396.tif 000017